(57)【特許請求の範囲】
【請求項１】
針無注射用の噴射式注射器本体に結合されるカートリッジ型薬液バイアルであって、薬液バイアルの非装着側端面に開設されたジェット噴射口と、薬液バイアルの装着側端面に開設されて注射器本体のピストンロッドを受け入れるロッド導入口と、先端がジェット噴射口に通じているとともに後端がロッド導入口に通じている空所内に複数回分の量の薬液を貯留する薬液溜部と、薬液溜部の後端側に薬液溜部内を先端側に向けて摺動可能に嵌め込まれている液漏れ防止用シール部材と、注射器本体側の結合機構と協動してピストンロッドがロッド導入口に受け入れられるように薬液バイアルを注射器本体に分離可能に結合するとともに結合状態の薬液バイアルを注射器本体の方へ差し込んでゆくことで、ピストンロッドの先端が薬液溜部内の液漏れ防止用シール部材の後端に当たるまで移動させることができる薬液バイアル側の結合機構とを備えていることを特徴とする噴射ノズル付きカートリッジ型薬液バイアル。
【請求項２】
請求項１に記載の複数回分の量の薬液が封入された噴射ノズル付きカートリッジ型薬液バイアルと結合して針無注射を行う噴射式注射器本体であって、薬液バイアル側の結合機構と協動して薬液バイアルを分離可能に注射器本体と結合するとともに結合状態の薬液バイアルを注射器本体の方へ差し込ませてゆける本体側の結合機構が先端部に設けられた筒状体と、筒状体の軸方向に往復移動可能に配設されていて先端部が結合中の薬液バイアルのロッド導入口に受入れられるピストンロッドと、ピストンロッドを前進方向に付勢するロッド付勢手段と、ロッド付勢手段による付勢力に抗してピストンロッドを所定距離だけ後退させた位置でラッチするロッドラッチ手段と、ピストンロッドのラッチ状態を解除するラッチ解除手段とを備え、本体側の結合機構は、薬液バイアルの薬液溜部内の前記液漏れ防止用シール部材の後端にピストンロッドの先端が当たるまで結合状態の薬液バイアルを注射器本体の方へ差し込ませることができることを特徴とする噴射式注射器本体。
【請求項３】
請求項２に記載の注射器本体において、薬液バイアルの薬液溜部に残っている薬液残量を読み取るための薬液残量指標が筒状体の先端側周表面に表示されている噴射式注射器本体。
【発明の詳細な説明】
【０００１】
【発明の属する技術分野】
この発明は、針無注射用の薬液が入っているカートリッジ型薬液バイアル（薬液容器）、およびこのカートリッジ型薬液バイアルと結合して針無注射を行う噴射式注射器本体に係り、使用者にとって非常に取り扱い易い針無注射方式を実現するための技術に関する。
【０００２】
【従来の技術】
噴射式注射器は、注射器の先端に設けられたジェット噴射口から薬液をジェット噴射することにより薬液を皮下に注入できる注射器である。つまり、噴射式注射器による注射は、針無注射であり、針有注射の場合に比べると、痛みを伴わない、注射痕が出来無い、針刺し事故が起こる心配がない等の数々の利点があるので、医療施設のみならず、例えば糖尿病患者がインシュリンを日常的に自己注射するのにも使われている。
【０００３】
従来の噴射式注射器の場合、無針であることから、注射する薬液を入れてある薬液バイアル（薬液容器）から注射器内に薬液を吸引する際は、図１２に示すように、中空針部材８２を持つ特別のアダプタ８１を使う。図１３に示すように、中空針部材８２がガラス製の薬液バイアル８３のゴム栓８４を貫通するようにしてアダプタ８１を薬液バイアル８３の口へ取り付け、図１４に示すように、針無注射器８５の注射器先端部８６をアダプタ８１の嵌合凹所８７に嵌め込み、針無注射器８５とアダプタ８１を連結する。
【０００４】
そして、針無注射器８５のピストン８８を、矢印ＲＡで示すように、引き下げると、薬液バイアル８３の中の薬液が、中空針部材８２の通路８９を通りアダプタ８１の嵌合凹所８７の側に出て来て、さらに注射器先端部８６のジェット噴射口９０から針無注射器８５の中に入る。注射器内に１回の注射に必要な量の薬液が吸引できたら、針無注射器８５をアダプタ８１から外し、針無注射器８５の注射器先端部８６を注射個所に当てて、薬液をジェット噴射口９０からジェット噴射させる。
注射が終われば、針無注射器８５の注射器先端部８６とアダプタ８１の嵌合凹所８７のそれぞれに保護キャップ（図示省略）を被せてから、針無注射器８５およびアダプタ８１を分離状態で保管することになる。
【０００５】
【発明が解決しようとする課題】
しかしながら、従来の噴射式注射器の場合、使用者（注射を行う者）にとって取り扱い易い注射器であるとは言いがたい。
上述したように、注射を行う度に毎回、アダプタ８１を使ってバイアル８３から針無注射器８５の中に１回分の薬液を取り込む面倒な操作を行う必要がある。継続してインシュリン注射を行わなければならない糖尿病患者にとっては、１回の注射ごとに面倒な操作が必ずあることは負担である。
【０００６】
また、糖尿病患者の場合、外出先でインシュリンを打たなければならないことが往々にしてあり、そのため、針無注射器８５と薬液バイアル８３を携帯して出掛けるのであるが、従来の噴射式注射器の場合、針無注射器８５と薬液バイアル８３が分離状態で保管されていることから、針無注射器８５と薬液バイアル８３のどちらかを忘れることがあるという不都合もある。
【０００７】
この発明は、上記事情に鑑み、使用者にとって非常に取り扱い易い針無注射方式を実現することのできる噴射ノズル付きカートリッジ型薬液バイアル、および、噴射式注射器本体を提供することを課題とする。
【０００８】
【課題を解決するための手段】
上記課題を達成するため、請求項１の発明に係る噴射ノズル付きカートリッジ型薬液バイアルは、針無注射用の噴射式注射器本体に結合されるカートリッジ型薬液バイアルであって、薬液バイアルの非装着側端面に開設されたジェット噴射口と、薬液バイアルの装着側端面に開設されて注射器本体のピストンロッドを受け入れるロッド導入口と、先端がジェット噴射口に通じているとともに後端がロッド導入口に通じている空所内に複数回分の量の薬液を貯留する薬液溜部と、薬液溜部の後端側に薬液溜部内を先端側に向けて摺動可能に嵌め込まれている液漏れ防止用シール部材と、注射器本体側の結合機構と協動してピストンロッドがロッド導入口に受け入れられるように薬液バイアルを注射器本体に分離可能に結合するとともに結合状態の薬液バイアルを注射器本体の方へ差し込んでゆくことで、ピストンロッドの先端が薬液溜部内の液漏れ防止用シール部材の後端に当たるまで移動させることができる薬液バイアル側の結合機構とを備えている。
【０００９】
さらに、請求項２の発明に係る噴射式注射器本体は、請求項１に記載の複数回分の量の薬液が封入された噴射ノズル付きカートリッジ型薬液バイアルと結合して針無注射を行う噴射式注射器本体であって、薬液バイアル側の結合機構と協動して薬液バイアルを分離可能に注射器本体と結合するとともに結合状態の薬液バイアルを注射器本体の方へ差し込ませてゆける本体側の結合機構が先端部に設けられた筒状体と、筒状体の軸方向に往復移動可能に配設されていて先端部が結合中の薬液バイアルのロッド導入口に受入れられるピストンロッドと、ピストンロッドを前進方向に付勢するロッド付勢手段と、ロッド付勢手段による付勢力に抗してピストンロッドを所定距離だけ後退させた位置でラッチするロッドラッチ手段と、ピストンロッドのラッチ状態を解除するラッチ解除手段とを備え、本体側の結合機構は、薬液バイアルの薬液溜部内の前記液漏れ防止用シール部材の後端にピストンロッドの先端が当たるまで結合状態の薬液バイアルを注射器本体の方へ差し込ませることができることを特徴とする。
【００１０】
また、請求項３の発明は、請求項２に記載の注射器本体において、薬液バイアルの薬液溜部に残っている薬液残量を読み取るための薬液残量指標が筒状体の先端側周表面に表示されている。
【００１１】
〔作用〕
次に、この発明に係る噴射ノズル付きカートリッジ型薬液バイアル（以下、適宜「薬液バイアル」と略記）、および噴射式注射器本体（以下、適宜「注射器本体」と略記）を使用して針無注射を行う際の作用を説明する。
この発明の薬液バイアルと注射器本体とによって針無注射を実行する場合、先ず、噴射式注射器本体および薬液バイアルに備えられてある結合機構により薬液バイアルを注射器本体の先端部に結合した後、注射器本体のピストンロッドをロッドラッチ手段によって所定距離（１回の注射の薬液噴出量に対応する距離）だけ後退させた位置でラッチする。次に、薬液バイアルをさらに注射器本体の方に差し込んでゆき、ロッド導入口から受け入れられたピストンロッドの先端が薬液バイアルの薬液溜部内の液漏れ防止用シール部材の後端に当たったところで薬液バイアルの差し込み操作を止める。
【００１２】
そして、薬液バイアルの非装着側端面のジェット噴射口を患者（被注射者）の注射箇所に押し当てておいて、ラッチ解除手段によりピストンロッドのラッチを解除する。ラッチが解除されたピストンロッドは、ロッド付勢手段による付勢力によって、後退した所定距離だけ瞬間的に前進する。ピストンロッドの前進と同時に液漏れ防止用シール部材も所定距離だけピストンロッドの先端に押されて薬液溜部内を先端に向かって瞬間的に摺動させられる結果、シール部材の移動距離に応じた量の薬液がジェット噴射口からジェット噴射されて皮下に注入される。つまり液漏れ防止用シール部材がプランジャーとして機能するのである。薬液が噴射注入されれば、初回の針無注射が完了したことになる。
【００１３】
薬液バイアルの薬液溜部内には複数回分の量の薬液が予め封入されていて、初回の注射後だと少なくとも未だ１回は注射が行える量の薬液が残っているので、薬液バイアルを噴射式注射器本体の先端部に結合したまま薬液バイアルと噴射式注射器本体を一体物として次回の注射を実施する時まで保管する。次回の注射時も、もちろん初回の注射時と同様の操作で実行されることになる。
また、注射が繰り返されて薬液バイアルが空になると、注射器本体から空の薬液バイアルを外して薬液バイアルだけを捨て、注射器本体は捨てずに新しい薬液バイアルを結合して継続使用する。
【００１４】
請求項３の噴射式注射器本体の場合には、注射器本体の筒状体の先端側周表面に表示されている薬液残量指標によって、注射器本体の筒状体に結合中の薬液バイアルにおける薬液残量を読み取り、使用中の薬液バイアルが空になりそうかどうかを簡単にチェックすることができる。
【００１５】
【発明の実施の形態】
以下、この発明の一実施例を図面を参照しながら説明する。図１は実施例の噴射ノズル付きカートリッジ型薬液バイアルおよび噴射式注射器本体を分離状態で示す断面図、図２は実施例の薬液バイアルおよび注射器本体を結合状態で示す平面図である。
図１（ａ）が薬液バイアル１であって、図１（ｂ）が薬液バイアル１が結合される注射器本体２であり、以下、薬液バイアル１および注射器本体２の具体的構成を順に説明する。
【００１６】
薬液バイアル１は、図１（ａ）に示すように、全体が二重筒状構造となっていて、内筒部３の内側に軸方向に続く空所（スペース）からなる薬液溜部４を備えている。さらに内筒部３は、薬液バイアル１の非装着側端面５にオリフィス状に開設されたジェット噴射口６と、薬液バイアルの装着側端面７に開設されたロッド導入口８とを備えている。薬液溜部４の先端はジェット噴射口６に通じ、薬液溜部４の後端はロッド導入口８に通じている。また、薬液バイアル１の非装着側端面５ではジェット噴射口６の形成箇所を囲むように環状の凹部５ａが形成されていて、ジェット噴射口６が患者の注射箇所にしっかり安定して押し当てることができる構成になっている。
【００１７】
そして、薬液溜部４の後端側には、液漏れ防止用のシール部材９が薬液溜部４内を先端側へ摺動可能に嵌め込まれているとともに、薬液溜部４内におけるシール部材９とジェット噴射口６の間のスペースには複数回の注射が行える量の薬液Ｑが封入されている。液漏れ防止用のシール部材９は鏃（やじり）状体９ａと鏃状体９ａの根元外周面に沿って環状に形成された溝にはめ込まれたＯ−リング９ｂとからなり、Ｏ−リング９ｂの外縁部が薬液溜部４の壁面に密着することによりシール機能を発揮し薬液の封入状態が保たれる構成になっている。
薬液バイアル１に封入される薬液Ｑとしては、例えばインスリンが挙げられ、薬液Ｑの初期封入量としては例えば１００単位（５〜７回程度の注射回数の量）が挙げられる。なお、実施例の薬液バイアル１はポリカーボネイト等の耐薬品性に富む透明樹脂製であり、薬液Ｑの封入状態が外側から透けて見える構成となっている。
【００１８】
一方、薬液バイアル１の内筒部３の外周面には軸方向に沿って雄ネジ１０が螺設されているとともに、内筒部３と外筒部１１の空間は薬液バイアル１の後端側で開口されており、後述するように、内筒部３と外筒部１１の間の空間に注射器本体２の先端部が進入しながら雄ネジ１０と螺合することにより、薬液バイアル１が注射器本体に分離可能に結合されるとともに結合状態の薬液バイアル１を注射器本体２の方へ差し込んでゆける構成になっている。この雄ネジ１０はこの発明における薬液バイアル側の結合機構に相当する。
【００１９】
さらに、薬液バイアル１の非装着側端面５には保護用表キャップ１２が被せられていて、装着側端面７には保護用裏キャップ１３が被せられている。保護用表キャップ１２の内面におけるジェット噴射口６に当接する位置には弾性ゴムシート１２ａが貼設されていて、保護用表キャップ１２を非装着側端面５に被せた時には、ゴムシート１２ａでジェット噴射口６がきっちり塞がれた状態となる構成となっている。
【００２０】
続いて、薬液バイアル１を結合して針無注射を行う噴射式注射器本体２の具体的構成を説明する。注射器本体２は、いずれも両端面が開口している前側円筒１５と後側円筒１６とがネジ結合されてなるステンレス製あるいは硬質樹脂製の円筒体（筒状体）１４を備えている。そして、前側円筒１５は、先端が開口しているとともに先端部１５ａの内周面に、薬液バイアル１の内筒部３の雄ネジ１０とネジ結合する雌ネジ１７が螺設されている。この雌ネジ１７はこの発明における注射器本体側の結合機構に相当する。また、両円筒１５，１６のネジ結合は、前側円筒１５の内周面の雌ネジ１８と後側円筒１６の外周面の雄ネジ１９との螺合により行われている。
【００２１】
そして、注射器本体２は、図１（ｂ）に示すように、円筒体１４の軸方向に往復移動可能なピストンロッド２０を備えている。ピストンロッド２０の先端部２０ａは薬液バイアル１のロッド導入口８に受入れられる。このピストンロッド２０には、ロッドの先端から全長の約１／３の長さのところにフランジリング２１が一体的に取り付けられている。ピストンロッド２０の後端にはフランジ２２が付いたガイドパイプ２３が軸方向に移動可能な状態で嵌め込まれている。さらに前側円筒１５の内面には、その先端から全長の約１／４の長さだけ奥に入ったに位置にピストンロッド２０の挿通孔を有するストッパープレート２４が固定されている。加えて、ピストンロッド２０の後端近傍の周面には、後述するラッチボールが落ち込む複数個のラッチ孔２０ｂが堀り込み形成されている。
【００２２】
また、フランジリング２１とフランジ２２の間には、ピストンロッド２０に通された強力な圧縮バネ（ロッド付勢手段）２５が介設されていて、圧縮バネ２５によりピストンロッド２０が前進方向（先端側）へ常に付勢された構成となっている。もちろん、フランジリング２１がストッパープレート２４に当たったところ（図１（ｂ）に示した状態）以上にピストンロッド２０が前進するということはない。
【００２３】
一方、後側円筒１６の内側には、固定リング２６が止め突起２７に当たる位置までネジ込まれて後側円筒１６に一体的に取り付け（固定）られている。固定リング２６の後側にはスライドリング２８が軸方向に移動可能に内挿設置されている。さらにスライドリング２８の後側にラッチ解除ボタン（ラッチ解除手段）２９が後側円筒１６の後端開口から少し突出した状態で軸方向に移動可能に嵌め込まれている。固定リング２６の後端側には可動小ピース３０が軸方向に移動可能に嵌め込まれている。この可動小ピース３０とスライドリング２８の後端面の間に圧縮バネ３１が介設されていて、圧縮バネ３１によりスライドリング２８が後退方向へ常に付勢されている。
【００２４】
また、固定リング２６の後端段落部には周方向に貫通する複数個の小孔３２が形成されていて、各小孔３２にラッチボール３３がそれぞれ嵌め込まれている。スライドリング２８の前端部内面がラッチボール３３の先に進出し、圧縮バネ３１による付勢力によってスライドリング２８がラッチボール３３と係止して、スライドリング２８が後側円筒１６から飛び出さないように構成されている。言い換えると、図１（ｂ）の状態では、スライドリング２８とラッチボール３３の係止により、スライドリング２８や可動小ピース３０も後側円筒１６と一体化された状態にあり、前側円筒１５に後側円筒１６をネジ込んでゆけば、固定リング２６〜ラッチボール３３までの部品が後側円筒１６と一緒に前進するという構成になっている。
なお、フランジ２２の後端面と固定リング２６の前端面との間には、スラストベアリング３４が介在しており、後側円筒１６の回転が円滑に行われる構成にもなっている。
【００２５】
一方、図２に示すように、前側円筒１５の後端側の薄肉部１５ｂの周表面には、１回の注射で噴射する薬液の量を示す薬液噴射量目盛ＳＡが表示されている。また、前側円筒１５の先端部１５ａの周表面には、使用中の薬液バイアル１の薬液溜部４に残っている薬液残量を読み取るための薬液残量目盛（薬液残量指標）ＳＢが表示されている。
他方、図１（ｂ）に示すように、後側円筒１６の中程のところが、軸方向に一定距離範囲に渡って二重筒状になっており、前側円筒１５に後側円筒１６がねじ込まれるに伴って外筒１６ａと内筒１６ｂの間に前側円筒１５の後端側の薄肉部１５ｂが進入する構造となっていて、詳しくは後述するが外筒１６ａの先端縁で薬液噴射量目盛ＳＡが読み取れる構成となっている。
【００２６】
また、図１０に示すように、外筒１６ａの内面には突出片１６ｃが付設されていて、前側円筒１５の外周面の適当な箇所には凹み１５ｃが形成されており、後側円筒１６が回転するのに伴って突出片１６ｃが凹み１５ｃを出入りするよう構成されていて、突出片１６ｃが凹み１５ｃを出入りする毎にカチカチとクリック音が発生して、後側円筒１６の回転量をクリック音を数えることで知ることができるようにも構成されている。後側円筒１６の回転量は１回の注射で噴射する薬液の量の調節に関連しているので、後側円筒１６の回転量をクリック音で知ることができれば、例えば目の不自由な人でも、１回の注射で噴射する薬液の量の調節が容易に行えるようになる。
【００２７】
続いて、上述した薬液バイアル１および注射器本体２により針無注射を実行する時の一連の操作の流れに即して、実施例の構成をより詳しく説明する。
針無注射を行う場合、先ず、図１（ａ）に示す未使用の薬液バイアル１の保護用裏キャップ１３を外してから、図３に示すように、薬液バイアル１の内筒部３の雄ネジ１０を注射器本体２における先端部１５ａの雌ネジ１７へネジ込んでゆき、ピストンロッド２０の先端がシール部材９の後端に当たれば、薬液バイアル１を注射器本体２へ結合できたことになる。
【００２８】
薬液バイアル１の結合が済めば、次に前側円筒１５を一方の手で把持したまま他方の手で後側円筒１６を回転させ、前側円筒１５へ後側円筒１６をネジ込んで前進させてゆく。そうすると、先ず可動小ピース３０の先端がピストンロッド２０の先端面の凹み２０ｃに嵌入して可動小ピース３０は止まる。一方、スライドリング２８はラッチボール３３に係止したまま固定リング２６に引っ張られて前進してゆく。そして、図４に示すように、やがてラッチボール３３がラッチ孔２０ｂに半ば落ち込むと同時に、圧縮バネ３１で後退方向に付勢されているスライドリング２８がラッチボール３３を横から押さえ続ける形となる。その結果、ラッチボール３３がラッチ孔２０ｂから飛び出さずに、ピストンロッド２０をラッチボール３３で固定リング２６に係止させた状態が維持されることになる。
なお、図４に示す結合状態では、後側円筒１６の外筒１６ａの先端縁が薬液噴射量目盛ＳＡの０のラインに位置するよう設定されている。
【００２９】
次に、前側円筒１５を一方の手で把持したまま他方の手で後側円筒１６を逆回転させて、図５に示すように、固定リング２６に係止したピストンロッド２０も引き連れて後退させながら前側円筒１５から後側円筒１６を退出させる。ピストンロッド２０の後退距離、すなわち後側円筒１６の後退距離が、１回の注射で噴射する薬液の量（インスリンの場合は普通２０単位前後）に対応しているので、注射すべき量に合わせて後側円筒１６の後退距離を調整することになる。つまり、後側円筒１６の外筒１６ａの先端縁が、１回の必要薬液量を示す薬液噴射量目盛ＳＡの目盛りラインのところに丁度合うように後側円筒１６を逆回転させるのである。
なお、後側円筒１６を逆回転させる時、突出片１６ｃが凹み１５ｃを出入りする毎にカチカチと聞こえるクリック音の数を勘定することによって、ピストンロッド２０の後退距離を調整することも可能である。
【００３０】
ピストンロッド２０の後退操作が終われば、保護用表キャップ１２を外してから、薬液バイアル１を注射器本体２の方にさらにネジ込んで、図６に示すように、薬液バイアル１をシール部材９の後端がピストンロッド２０の先端に当たるまで注射器本体２の方へ差し込む。シール部材９の後端がピストンロッド２０の先端に当たったことは、例えばジェット噴射口６から僅かに薬液Ｑが零れることなどで知ることができる。なお、図６に示す結合状態では、薬液バイアル１の外筒部１１の後端縁が薬液残量目盛ＳＢの初期封入薬液量を示すラインに丁度合うように設定されている。つまり、１回も注射を実行しない時は、初期封入薬液量の全量が全薬液残量であるからである。
【００３１】
そして、ジェット噴射口６を患者の注射箇所に当てた状態で、ラッチ解除ボタン（レリースボタン）２９を押すと、図７に示すように、圧縮バネ３１が押し縮められるとともにスライドリング２８が前進してラッチボール３３がラッチ孔２０ｂから飛び出すので、ピストンロッド２０と固定リング２６の係止が外れる。ピストンロッド２０と固定リング２６の係止が外れると、ピストンロッド２０は強力な圧縮バネ２５の付勢力によってフランジリング２１がストッパープレート２４に当たるところまで瞬間的に前進する。この時の前進距離は、上述のピストンロッド２０の後退距離に等しいことは言うまでもない。
【００３２】
一方、前進するピストンロッド２０の先端部２０ａによって、図８に示すように、薬液バイアル１の薬液溜部４のシール部材９が瞬間的に押し進められるので、シール部材９の前進距離に見合う薬液Ｑが瞬間的にジェット噴射口６から押し出されて（ジェット噴射されて）患者の皮下に注入される。したがって、ピストンロッド２０の後退操作による後退距離が１回の注射で噴射する薬液の量を決めることになるわけである。
【００３３】
これで初回（第１回目）の針無注射が終わることになるので、保護用表キャップ１２を再び薬液バイアル１の非装着端面５に被せてから、薬液バイアル１と注射器本体２を一体物として保管する。
次の第２回目の注射の時も、初回の注射と同じ操作で行うことになるが、薬液バイアル１の外筒部１１の後端縁は、順に少ない残量を示す薬液残量目盛ＳＢの目盛りラインへ移動してゆくことになる。
そして、遂には、図９に示すように、シール部材９が薬液バイアル１の薬液溜部４の先端に達して薬液Ｑを使い切った時点で空の薬液バイアル１を外して捨て、新たな薬液バイアル１を注射器本体２に結合し直して使用する。
【００３４】
この発明は上記実施の形態に限られることはなく、下記のように変形実施することができる。
（１）実施例の場合、薬液噴射量目盛ＳＡや薬液残量目盛ＳＢは、注射器本体２の前側円筒１５の方だけに刻まれていたが、前側円筒１５の周表面には十（１０）の位の目盛りを刻み、後側円筒１６の前縁周表面や薬液バイアル１の外筒部１１の後端縁周表面には一（１）の位の目盛りを刻み、測寸用マイクロメータゲージのような精密な液量調整や残液量測定が計測できる構成のものが変形例として挙げられる。
【００３５】
（２）実施例の場合、目盛りでもって薬液残量を示す構成であったが、図１１に示すように、前側円筒１５の先端部１５ａに螺旋状に数字を表示しておくとともに、薬液バイアル１の外筒部１１の後端側に正方形窓マークＭＫを描いておき、正方形窓マークＭＫと数字の位置関係によって薬液残量が分かるようになっている構成のものが、変形例として挙げられる。
【００３６】
（３）実施例の場合、薬液残量目盛ＳＢから直接的に薬液の残量が読み取れる構成であったが、薬液残量目盛ＳＢの代わりに薬液の積算使用量を示す目盛りを設け、間接的に薬液の残量が読み取られる構成となっているものも、変形例として挙げられる。
【００３７】
（４）実施例の場合、クリック音によってピストンロッド２０の後退距離を調整することが可能な構成であったが、クリック音を全く発生しない構成のものも、変形例として挙げられる。
【００３８】
（５）実施例では、薬液としてインスリンを例示したが、この発明が対象とする薬液はインスリンに限らないことは言うまでもない。
【００３９】
【発明の効果】
以上に述べたように、請求項１の噴射ノズル付きカートリッジ型薬液バイアルによれば、薬液バイアルの薬液溜部に薬液が予め封入されているとともに、薬液バイアルを針無注射用の注射器本体に結合させた状態で薬液バイアルのジェット噴射口から薬液を繰り返し噴射させることが可能な構成を備えているので、噴射式注射器本体に薬液バイアルを一度結合しておけば、注射を行う度に別体の薬液容器から薬液を取り込む面倒な操作を一々行わずとも針無注射が何度も行えるのに加え、薬液バイアルと注射器本体を結合したままで薬液バイアルと注射器本体を一体物として保管できることから、使用者にとっては非常に取り扱い易い針無注射方式を実現することが可能になる。
【００４０】
さらに、請求項２の噴射式注射器本体によれば、請求項１の噴射ノズル付きカートリッジ型薬液バイアルを結合しておくと、注射を行う度に別体の薬液容器から１回分の薬液を取り込む面倒な操作を一々行わずとも、薬液溜部に封入されている薬液量に応じた複数回の針無注射が行えるのに加え、薬液バイアルを結合したままで薬液バイアルと注射器本体を一体物として保管できることから、使用者にとっては非常に取り扱い易い針無注射方式を実現することができる。
【００４１】
また、請求項３の噴射式注射器本体によれば、注射器本体の筒状体の先端側周表面に表示されている薬液残量指標により、使用中の薬液バイアルにおける薬液残量が読み取れるので、薬液バイアルが空になりそうかどうかが容易に分かり、薬液バイアルを交換しなければならない時期を事前に察知できる結果、突然に薬液切れになって困る事態を確実に回避することができる。
【図面の簡単な説明】
【図１】実施例の薬液バイアルおよび注射器本体を分離状態で示す断面図である。
【図２】実施例の薬液バイアルおよび注射器本体を結合状態で示す平面図である。
【図３】実施例の薬液バイアルの注射器本体への初期結合状態を示す断面図である。
【図４】ピストンロッドと固定リングとの係止状態を示す断面図である。
【図５】ラッチ状態のピストンロッドと薬液バイアルの関係を示す断面図である。
【図６】ラッチ状態のピストンロッドに対する薬液バイアルの差し込み状況を示す断面図である。
【図７】注射器本体のラッチ解除ボタンを押した瞬間の状況を示す断面図である。
【図８】薬液噴射後の薬液バイアルとピストンロッドの関係を示す断面図である。
【図９】空の薬液バイアルとピストンロッドの関係を示す断面図である。
【図１０】実施例の注射器本体におけるクリック音の発生機構を示す概略断面図である。
【図１１】変形例における薬液残量指標を示す平面図である。
【図１２】従来の噴射式注射器用アダプタを示す正面図である。
【図１３】従来の噴射式注射器用アダプタの薬液バイアルへの装着状態を示す正面図である。
【図１４】従来の噴射式注射器による薬液吸引状況を示す正面図である。
【符号の説明】
１        …噴射ノズル付きカートリッジ型薬液バイアル
２        …噴射式注射器本体
４        …薬液溜部
５        …非装着側端面
６        …ジェット噴射口
７        …装着側端面
８        …ロッド導入口
９        …液漏れ防止用のシール部材
１０        …雄ネジ
１４        …円筒体
１５ａ      …先端部
１７        …雌ネジ
２０        …ピストンロッド
２０ｂ      …ラッチ孔
２５        …圧縮バネ
２９        …ラッチ解除ボタン
３３        …ラッチボール
Ｑ          …薬液
ＳＢ        …薬液残量目盛
【図１】
0003939019.tif 000002
【図２】
0003939019.tif 000003
【図３】
0003939019.tif 000004
【図４】
0003939019.tif 000005
【図５】
0003939019.tif 000006
【図６】
0003939019.tif 000007
【図７】
0003939019.tif 000008
【図８】
0003939019.tif 000009
【図９】
0003939019.tif 000010
【図１０】
0003939019.tif 000011
【図１１】
0003939019.tif 000012
【図１２】
0003939019.tif 000013
【図１３】
0003939019.tif 000014
【図１４】
0003939019.tif 000015